(57)【要約】【課題】選択項目の一覧表を表示するときに、ユーザーが選択し易い並び順で表示可能にする。【解決手段】本発明のカーナビゲーション装置１は、地名や施設名等の選択項目を一覧表にして表示装置に表示する表示制御手段２を備えたものにおいて、表示制御手段２は、選択項目を、ユーザーが設定した並び順で表示することが可能なように構成されている。これにより、表示された選択項目の並び順は、ユーザーが選択し易い並び順となる。【選択図】  図１
2004170358.tif 000002
【特許請求の範囲】
【請求項１】
地名や施設名等の選択項目を一覧表にして表示装置に表示する表示制御手段を備えたカーナビゲーション装置において、
前記表示制御手段は、前記選択項目を、ユーザーが設定した並び順で表示するように構成されていることを特徴とするカーナビゲーション装置。
【請求項２】
地名や施設名等の選択項目を一覧表にして表示装置に表示する表示制御手段を備えたカーナビゲーション装置において、
前記表示制御手段は、前記選択項目を、北または南から順に並ぶように表示することを特徴とするカーナビゲーション装置。
【請求項３】
地名や施設名等の選択項目を一覧表にして表示装置に表示する表示制御手段を備えたカーナビゲーション装置において、
前記選択項目の表示並び順として、ユーザー設定順、北から順、南から順、あいうえお順等を備えると共に、
前記複数の表示並び順の中から所望の１つを選択する並び順選択手段を備えたことを特徴とするカーナビゲーション装置。
【請求項４】
前記並び順選択手段は、前記選択項目の一覧表が複数ある場合、各一覧表毎に、前記複数の表示並び順の中から所望の１つを選択することが可能なように構成されていることを特徴とする請求項３記載のカーナビゲーション装置。
【発明の詳細な説明】
【０００１】
【発明の属する技術分野】
本発明は、地名や施設名等の選択項目を一覧表にして表示装置に表示する機能を備えたカーナビゲーション装置に関する。
【０００２】
【従来の技術】
カーナビゲーション装置において、地名（都道府県名等）や施設名等を一覧表にして表示装置に表示する場合、一般的には、あいうえお順で表示されるように構成されている。
【０００３】
【発明が解決しようとする課題】
上記従来構成のカーナビゲーション装置の場合、一覧表があいうえお順で表示されるので、例えば、よく選択する項目が一覧表の中の下方に存在すると、表示装置の画面に上記選択項目を表示させるまでに、画面のスクロールを何回も実行しなければならないという問題点があった。特に、カーナビゲーション装置では、表示装置の画面が小さいため、画面スクロールの回数がかなり多くなることがあり、操作性が良くないという問題点があった。
【０００４】
本発明は上記事情に鑑みてなされたものであり、その目的は、選択項目の一覧表を表示するときに、ユーザーが選択し易い並び順で表示することができるカーナビゲーション装置を提供するにある。
【０００５】
【課題を解決するための手段】
請求項１の発明によれば、選択項目を、ユーザーが設定した並び順で表示するように構成したので、表示された選択項目の一覧表は、ユーザーが選択し易い並び順となる。
【０００６】
請求項２の発明によれば、選択項目を、北または南から順に並ぶように表示するように構成したので、選択項目の並び順が位置と関係付けられることから、ユーザーが選択し易い並び順となる。
【０００７】
請求項３の発明によれば、選択項目の表示並び順として、ユーザー設定順、北から順、南から順、あいうえお順等を備えると共に、これら複数の表示並び順の中から所望の１つを選択する並び順選択手段を備えるように構成したので、選択項目の並び順を、ユーザーが選択し易い並び順にすることがより一層容易になる。
【０００８】
請求項４の発明によれば、選択項目の一覧表が複数ある場合、各一覧表毎に、複数の表示並び順の中から所望の１つを選択することが可能なように構成したので、複数の一覧表の選択項目の各並び順を、ユーザーが選択し易い並び順にすることができる。
【０００９】
【発明の実施の形態】
以下、本発明の一実施例について、図面を参照して説明する。まず、図１は、本実施例のカーナビゲーション装置１の電気的構成を示すブロック図である。この図１に示すように、カーナビゲーション装置１は、制御回路２と、位置検出器３と、地図データ入力器４と、操作スイッチ群５と、外部メモリ６と、表示装置７と、音声出力装置８と、リモコンセンサ９とから構成されている。
【００１０】
上記制御回路２は、カーナビゲーション装置１の動作全般を制御する機能を有しており、通常のコンピュータ（例えばマイクロコンピュータ）として構成されている。即ち、制御回路２は、ＣＰＵ、ＲＯＭ、ＲＡＭ、Ｉ／Ｏ及びこれらを接続するバス（いずれも図示しない）を備えて構成されている。この制御回路２が本発明の表示制御手段及び並び順選択手段としての各機能を有している。
【００１１】
位置検出器３は、位置検知手段を構成するものであり、地磁気センサ１１と、ジャイロスコープ１２と、距離センサ１３と、ＧＰＳ（Ｇｌｏｂａｌ  Ｐｏｓｉｔｉｏｎｉｎｇ  Ｓｙｓｔｅｍ  ）受信機１４とから構成されている。位置検出器３は、上記４つのセンサ１１〜１４により互いに補間しながら車両の現在位置を検出するように構成されており、高精度の位置検出機能を有している。尚、位置検出精度をそれほど必要としない場合には、４つのセンサ１１〜１４のうちの何れかで（または複数のセンサの組み合わせで）位置検出器３を構成しても良い。また、車両のステアリングの回転センサや、ホイールの車輪センサ等を組み合わせて位置検出器３を構成しても良い。
【００１２】
地図データ入力器４は、ＣＤ−ＲＯＭやＤＶＤ−ＲＯＭ等を読み取り可能な読取装置で構成されており、地図データやマップマッチング用データや目印データや音声認識用辞書データ等の各種データを入力するための装置である。
【００１３】
操作スイッチ群５は、表示装置７の表示画面の上面に設けられたタッチスイッチ（タッチパネル）と、表示装置７の周辺部に設けられたメカニカルなプッシュスイッチ（図示しない）等とから構成されている。
【００１４】
また、外部メモリ６は、メモリスティックやメモリカードや磁気テープ等の読取装置で構成されており、地図データや音楽データや映像データ等を入力するための装置である。
【００１５】
表示装置７は、地図画面を表示するための例えばカラー液晶ディスプレイで構成されており、地図データ、自車位置マーク、誘導経路等の付加データ等を重ねて表示することが可能なように構成されている。
【００１６】
音声出力装置８は、例えばスピーカとオーディオアンプで構成されており、外部メモリ６（または地図データ入力器４）に記憶されているデータ（音声データや音楽データ等）や、制御回路２により合成された音声データに基づいて音声を出力する装置である。
【００１７】
また、カーナビゲーション装置１の制御回路２は、ユーザーが操作スイッチ群５やリモコン１５を操作して目的地を設定すると、現在位置（出発地）から目的地までの最適経路（誘導経路）を自動的に計算して設定する機能（経路計算機能）や、現在位置を地図上に位置付けるマップマッチング処理を実行する機能等を備えている。尚、自動的に最適経路を設定する方法としては、例えばダイクストラ法等が知られている。また、リモコン１５を操作すると、その操作信号はリモコンセンサ９を介して制御回路２に与えられるように構成されている。
【００１８】
次に、上記構成のカーナビゲーション装置１の作用、特には、表示装置７の画面に地名や施設名等の選択項目を一覧表にして表示する場合に、選択項目の並び順を選択して設定する処理について、図２ないし図８も参照して説明する。
【００１９】
まず、本実施例においては、図２に示すように、選択項目の並び順として、７通りの並び順が選択可能に用意されている。１番目の並び順は、「北から順」であり、これは、例えば都道府県名を並べる場合、図３に示すように、北の方の都道府県名から順に並べる並び順である。２番目の並び順は、「南から順」であり、これは、南方の都道府県名から順に並べる並び順であり、上記「北から順」と反対の並び順である。
【００２０】
３番目の並び順は、「あいうえお昇順」であり、これは、例えば都道府県名を並べる場合、図４に示すように、都道府県名をあいうえお昇順に並べる並び順である。４番目の並び順は、「あいうえお降順」であり、これは、都道府県名をあいうえお降順に並べる並び順であり、上記「あいうえお昇順」と反対の並び順である。
【００２１】
５番目の並び順は、「現在地近接順」であり、これは、現在地が例えば鹿児島県である場合、図５に示すように、鹿児島県を先頭にして鹿児島県（現在地）に近い都道府県名を順に並べる並び順である。６番目の並び順は、「選択頻度順」であり、これは、ユーザーが選択した回数が最も多い都道府県名から順に並べる並び順であり、例えば、図６に示すような並び順で表示される。
【００２２】
そして、７番目の並び順は、「ユーザー設定順」であり、これは、ユーザーが都道府県名の並び順を任意に設定することが可能な並び順であり、例えば、図７に示すような並び順で表示される。
【００２３】
ここで、上記７つの並び順の中から所望の１つを選択する操作は、例えば、カーナビゲーション装置１の条件設定の画面（メニュー）において、ユーザーが行うように構成されている。また、カーナビゲーション装置１においては、通常、選択項目の一覧表が複数あることから、これら複数の一覧表毎に、上記７つの並び順の中から所望の１つをユーザーが適宜選択することが可能なように構成されている。
【００２４】
また、並び順として、ユーザー設定順を選択する場合には、ユーザーは、予め、一覧表における各選択項目の並び順（即ち、表示順序）を設定しておく必要がある。この並び順の設定操作の一例としては、選択項目の一覧表を何らかの並び順（通常は、「あいうえお昇順」）で表示している画面において、ユーザー設定キーを操作することにより、並び順の設定操作の入力画面（作業画面）となるようにし、この画面で各選択項目に対して例えば並び順の番号をユーザーが付与していくように構成すれば良い。そして、各選択項目毎に、入力された並び順の番号を記憶しておくように構成すれば、並び順としてユーザー設定順が選択されたときには、各選択項目をユーザー設定順に並び替えて表示することができる。
【００２５】
ここで、上記した７つの並び順で一覧表を表示するために必要な選択項目のデータ構造について、図８を参照しながら説明する。この図８に示すように、選択項目のデータ１６は、例えば、選択項目の名称のデータを格納するデータ部分１６ａと、選択項目の位置座標のデータを格納するデータ部分１６ｂと、選択項目の選択頻度のデータを格納するデータ部分１６ｃと、選択項目のユーザー設定順序のデータを格納するデータ部分１６ｄと、他の種々のデータを格納するデータ部分１６ｅとを備えて構成されている。
【００２６】
この構成の場合、選択項目の並び順を「あいうえお昇順」に設定する場合は、選択項目の名称のデータ（データ部分１６ａ）を「あいうえお昇順」に並べて表示すればよい。尚、通常、データテーブルを作成するときに、選択項目の名称のデータ（データ部分１６ａ）を「あいうえお昇順」に並べている。そして、選択項目の並び順を「あいうえお降順」に設定する場合は、選択項目の名称のデータ（データ部分１６ａ）を「あいうえお降順」に並べて表示すれば良い。
【００２７】
また、選択項目の並び順を「北から順」に設定する場合は、選択項目の位置座標のデータ（データ部分１６ｂ）に基づいて、選択項目の名称のデータ（データ部分１６ａ）を「北から順」に並べて表示すればよい。更に、選択項目の並び順を「南から順」に設定する場合は、選択項目の位置座標のデータ（データ部分１６ｂ）に基づいて、選択項目の名称のデータ（データ部分１６ａ）を「南から順」に並べて表示すればよい。
【００２８】
また、選択項目の並び順を「ユーザー設定順」に設定する場合は、選択項目のユーザー設定順序のデータ（データ部分１６ｃ）に基づいて、選択項目の名称のデータ（データ部分１６ａ）を「ユーザー設定順」に並べて表示すればよい。
【００２９】
このような構成の本実施例によれば、図２及び図７に示すように、地名や施設名等の選択項目を、ユーザーが設定した並び順、即ち、「ユーザー設定順」で表示できるように構成したので、選択項目の一覧表を表示するときに、ユーザーが選択し易い並び順で表示することが可能となり、操作性が向上する。即ち、よく選択する項目を一覧表の中の上の方に位置させることが可能となるから、表示装置の画面をスクロールさせる必要がなくなる。
【００３０】
また、上記実施例においては、選択項目を、北または南から順に並ぶように、即ち、選択項目の並び順を「北から順」または「南から順」に設定して表示できるように構成したので、選択項目の一覧表を表示するときに、ユーザーが選択し易い並び順で表示することが可能となる。
【００３１】
更に、上記実施例では、選択項目の表示並び順として、ユーザー設定順、北から並ぶ順、南から並ぶ順、あいうえお順（あいうえお昇順またはあいうえお降順）等を備えると共に、これら複数の表示並び順の中から所望の１つを選択可能なように構成したので、選択項目の一覧表を表示するときに、より一層ユーザーが選択し易い並び順で表示することができる。更にまた、上記実施例においては、選択項目の一覧表が複数ある場合に、これら複数の一覧表毎に、前記７つの並び順の中の所望の１つをユーザーが選択することが可能なように構成したので、各一覧表毎に、ユーザーが選択し易い並び順で表示することができる。
【図面の簡単な説明】
【図１】本発明の一実施例を示すカーナビゲーション装置のブロック図
【図２】選択項目の並び順を選択設定する画面を示す図
【図３】選択項目の並び順を北から順とした場合の一覧表を表示する画面を示す図
【図４】選択項目の並び順をあいうえお昇順とした場合の一覧表を表示する画面を示す図
【図５】選択項目の並び順を現在地近接順とした場合の一覧表を表示する画面を示す図
【図６】選択項目の並び順を選択頻度順とした場合の一覧表を表示する画面を示す図
【図７】選択項目の並び順をユーザー設定順とした場合の一覧表を表示する画面を示す
【図８】選択項目のデータ構造を説明する図
【符号の説明】
１はカーナビゲーション装置、２は制御回路（表示制御手段、並び順選択手段）、３は位置検出器、４は地図データ入力器、５は操作スイッチ群、７は表示装置、１６はデータを示す。
【図１】
2004170358.tif 000003
【図２】
2004170358.tif 000004
【図３】
2004170358.tif 000005
【図４】
2004170358.tif 000006
【図５】
2004170358.tif 000007
【図６】
2004170358.tif 000008
【図７】
2004170358.tif 000009
【図８】
2004170358.tif 000010